【手続補正書】
【提出日】平成19年5月15日(2007.5.15)
【手続補正１】
【補正対象書類名】明細書
【補正対象項目名】特許請求の範囲
【補正方法】変更
【補正の内容】
【特許請求の範囲】
【請求項１】  外部装置から受信する印刷ジョブに基づく印刷を制御する印刷制御装置であって、
外部装置から受信する印刷ジョブを格納する格納手段と、
利用者を識別する識別情報を入力する入力手段と、
前記入力手段により入力された識別情報に対応する印刷ジョブに基づく印刷を当該印刷ジョブとは異なる他の印刷ジョブに基づく印刷より優先して実行するように、前記格納手段に格納されている印刷ジョブの印刷順序を変更する制御手段とを有することを特徴とする印刷制御装置。
【請求項２】  前記入力手段は、操作パネル、カードリーダまたはバーコードリーダから前記識別情報を入力することを特徴とする請求項１記載の印刷制御装置。
【請求項３】  外部装置から受信する印刷ジョブに基づいて印刷を制御する印刷制御装置であって、
外部装置から受信する印刷ジョブを格納する格納手段と、
カードリーダによって読み取られる識別情報を入力する入力手段と、
前記入力手段により入力された識別情報に対応する印刷ジョブに基づく印刷を当該印刷ジョブとは異なる他の印刷ジョブに基づく印刷より優先して実行するように、前記格納手段に格納されている印刷ジョブの印刷順序を変更する制御手段とを有することを特徴とする印刷制御装置。
【請求項４】  前記カードリーダからの割り込み印刷の指定があるかどうかを判定する判定手段を有し、
前記制御手段は、前記カードリーダからの割り込み印刷の指定があると前記判定手段により判定されるのに従って、他の印刷ジョブに基づく印刷を停止して前記入力手段によって入力された識別情報に対応する印刷ジョブに基づく印刷を実行するように、印刷ジョブの印刷順序を変更することを特徴とする請求項３に記載の印刷制御装置。
【請求項５】  外部装置から受信する印刷ジョブに基づいて印刷を制御する印刷制御装置であって、
外部装置から受信する印刷ジョブを格納する格納手段と、
バーコードリーダによって読み取られる識別情報を入力する入力手段と、
前記入力手段により入力された識別情報に対応する印刷ジョブに基づく印刷を当該印刷ジョブとは異なる他の印刷ジョブに基づく印刷より優先して実行するように、前記格納手段に格納されている印刷ジョブの印刷順序を変更する制御手段とを有することを特徴とする印刷制御装置。
【請求項６】  前記バーコードリーダからの割り込み印刷の指定があるかどうかを判定する判定手段を有し、
前記制御手段は、前記バーコードリーダからの割り込み印刷の指定があると前記判定手段により判定されるのに従って、他の印刷ジョブに基づく印刷を停止して前記入力手段によって入力された識別情報に対応する印刷ジョブに基づく印刷を実行するように、印刷ジョブの印刷順序を変更することを特徴とする請求項５に記載の印刷制御装置。
【請求項７】  前記識別情報に対応する印刷ジョブに基づく印刷の排紙先と前記他の印刷ジョブに基づく印刷の排紙先とを変更する排紙制御手段を有することを特徴とする請求項１乃至６のいずれかに記載の印刷制御装置。
【請求項８】  複数の排紙ビンを備えるソータを有し、
前記排紙制御手段は、前記識別情報に対応する印刷ジョブに基づく印刷の排紙ビンと前記他の印刷ジョブに基づく印刷の排紙ビンとを変更することを特徴とする請求項７記載の印刷制御装置。
【請求項９】  前記制御手段は、前記他の印刷ジョブに基づく印刷を停止して前記入力手段によって入力された識別情報に対応する印刷ジョブに基づく印刷を実行するように、印刷ジョブの印刷順序を変更することを特徴とする請求項１乃至８のいずれかに記載の印刷制御装置。
【請求項１０】  前記識別情報は利用者を識別することを特徴とする請求項２或いは４に記載の印刷制御装置。
【請求項１１】  外部装置から受信する印刷ジョブに基づく印刷を制御する印刷制御装置における印刷制御方法であって、
外部装置から受信する印刷ジョブを記憶装置に格納する格納工程と、
利用者を識別する識別情報を入力する入力工程と、
前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする印刷制御方法。
【請求項１２】  外部装置から受信する印刷ジョブに基づく印刷を制御する印刷制御装置における印刷制御方法であって、
外部装置から受信する印刷ジョブを記憶装置に格納する格納工程と、
カードリーダによって読み取られる識別情報を入力する入力工程と、
前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする印刷制御方法。
【請求項１３】  外部装置から受信する印刷ジョブに基づく印刷を制御する印刷制御装置における印刷制御方法であって、
外部装置から受信する印刷ジョブを記憶装置に格納する格納工程と、
バーコードリーダによって読み取られる識別情報を入力する入力工程と、
前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする印刷制御方法。
【請求項１４】  外部装置から受信する印刷ジョブに基づく印刷を制御する印刷制御装置を制御する印刷制御プログラムが格納されたコンピュータにより読み取り可能な記録媒体であって、前記印刷制御プログラムは、
外部装置から受信する印刷ジョブを記憶装置に格納する格納工程と、
利用者を識別する識別情報を入力する入力工程と、
前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする記録媒体。
【請求項１５】  外部装置から受信する印刷ジョブに基づく印刷を制御する印刷制御装置を制御する印刷制御プログラムが格納されたコンピュータにより読み取り可能な記録媒体であって、前記印刷制御プログラムは、
外部装置から受信する印刷ジョブを記憶装置に格納する格納工程と、
カードリーダによって読み取られる識別情報を入力する入力工程と、
前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする記録媒体。
【請求項１６】  外部装置から受信する印刷ジョブに基づく印刷を制御する印刷制御装置を制御する印刷制御プログラムが格納されたコンピュータにより読み取り可能な記録媒体であって、前記印刷制御プログラムは、
外部装置から受信する印刷ジョブを記憶装置に格納する格納工程と、
バーコードリーダによって読み取られる識別情報を入力する入力工程と、
前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする記録媒体。
【請求項１７】  外部装置から受信する印刷ジョブに基づく印刷を制御する印刷制御装置であって、
外部装置から受信する印刷ジョブを格納する格納手段と、
印刷ジョブの印刷順序を変更するコマンドを外部装置から受信する第１受信手段と、
排紙先を指定する排紙情報を外部装置から受信する第２受信手段と、
前記第１受信手段により受信されたコマンドに従って、第１の印刷ジョブに基づく印刷を中断して前記格納手段に格納されている第２の印刷ジョブに基づく印刷を実行し、かつ前記第２の印刷ジョブの排紙先を前記排紙情報により指定された排紙先にする制御手段とを有することを特徴とする印刷制御装置。
【請求項１８】  前記格納手段に格納されている印刷ジョブを示すリスト情報を外部装置に送信する送信手段と、
前記リスト情報によって示された印刷ジョブのうち、利用者により選択された印刷ジョブを識別する識別情報を受信する第３受信手段とを有し、
前記第２印刷ジョブは、前記識別情報によって識別される印刷ジョブであることを特徴とする請求項１７に記載の印刷制御装置。
【請求項１９】  前記外部装置とはネットワークを介して接続されていることを特徴とする請求項１７或いは１８に記載の印刷制御装置。
【請求項２０】  前記排紙先には、複数の排紙ビンを備えるソータが含まれることを特徴とする請求項１７乃至１９のいずれかに記載の印刷制御装置。
【請求項２１】  外部装置から受信する印刷ジョブに基づく印刷を制御する印刷制御装置における印刷制御方法であって、
外部装置から受信する印刷ジョブを記憶装置に格納する格納工程と、
印刷ジョブの印刷順序を変更するコマンドを外部装置から受信する第１受信ステップと、
排紙先を指定する排紙情報を外部装置から受信する第２受信ステップと、
前記コマンドに従って、第１の印刷ジョブに基づく印刷を中断して前記記憶装置に格納されている第２の印刷ジョブに基づく印刷を実行し、かつ前記第２の印刷ジョブの排紙先を前記排紙情報により指定された排紙先にする制御ステップとを有することを特徴とする印刷制御方法。
【請求項２２】  外部装置から受信する印刷ジョブに基づく印刷を制御する印刷制御プログラムが格納されたコンピュータにより読み取り可能な記録媒体であって、前記印刷制御プログラムは、
外部装置から受信する印刷ジョブを記憶装置に格納する格納工程と、
印刷ジョブの印刷順序を変更するコマンドを外部装置から受信する第１受信ステップと、
排紙先を指定する排紙情報を外部装置から受信する第２受信ステップと、
前記コマンドに応じて、第１の印刷ジョブに基づく印刷を中断して前記記憶装置に格納されている第２の印刷ジョブに基づく印刷を実行し、かつ前記第２の印刷ジョブの排紙先を前記排紙情報により指定された排紙先にする制御ステップとを有することを特徴とする記録媒体。
【手続補正２】
【補正対象書類名】明細書
【補正対象項目名】０００１
【補正方法】変更
【補正の内容】
【０００１】
【発明の属する技術分野】
本発明は、外部装置から受信する印刷ジョブに基づく印刷を制御する印刷制御装置、外部装置から受信する印刷ジョブに基づく印刷を制御する印刷制御装置における印刷制御方法、外部装置から受信する印刷ジョブに基づく印刷を制御する印刷制御プログラムが格納されたコンピュータにより読み出し可能な記憶媒体に関するものである。
【手続補正３】
【補正対象書類名】明細書
【補正対象項目名】０００６
【補正方法】変更
【補正の内容】
【０００６】
本発明は、上記の問題点を解決するためになされたもので、外部装置から受信した印刷ジョブに基づく印刷を制御する際に、利用者を識別する識別情報に対応する印刷ジョブに基づく印刷を当該印刷ジョブとは異なる他の印刷ジョブに基づく印刷より優先して実行するように、印刷ジョブの印刷順序を変更する。または、カードリーダまたはバーコードリーダによって入力された識別情報に対応する印刷ジョブに基づく印刷を当該印刷ジョブとは異なる他の印刷ジョブに基づく印刷より優先して実行するように、印刷ジョブの印刷順序を変更する。それにより、利用者は、複数の印刷ジョブの印刷順序を簡単な操作指示で自在に変更することができ、プリンタは、複数の利用者からの印刷要求に対して、迅速かつ柔軟に対応できる。
【手続補正４】
【補正対象書類名】明細書
【補正対象項目名】０００７
【補正方法】変更
【補正の内容】
【０００７】
また、利用者は、外部装置から割り込み印刷の指定を行なうときに、割り込み指定された印刷ジョブの排紙先を変更できるようにすることにより、割り込み指定された印刷ジョブの印刷物が他の印刷ジョブの印刷物と混載することが防止される。
【手続補正５】
【補正対象書類名】明細書
【補正対象項目名】０００８
【補正方法】変更
【補正の内容】
【０００８】
また、利用者が、自分の印刷物を取りにプリンタに行ったときに、操作パネル、カードリーダまたはバーコードリーダを使用して自分の識別情報をプリンタに通知することで割り込み印刷を行なうことができるようにすることにより、割り込み印刷を行なうために外部装置に戻って操作を行なう必要がなくなる。
【手続補正６】
【補正対象書類名】明細書
【補正対象項目名】０００９
【補正方法】変更
【補正の内容】
【０００９】
【課題を解決するための手段】
上記課題を解決するために、本発明の印刷制御装置は、外部装置から受信する印刷ジョブに基づく印刷を制御する印刷制御装置であって、外部装置から受信する印刷ジョブを格納する格納手段と、利用者を識別する識別情報を入力する入力手段と、前記入力手段により入力された識別情報に対応する印刷ジョブに基づく印刷を当該印刷ジョブとは異なる他の印刷ジョブに基づく印刷より優先して実行するように、格納手段に格納されている印刷ジョブの印刷順序を変更する制御手段とを有することを特徴とする。
【手続補正７】
【補正対象書類名】明細書
【補正対象項目名】００１０
【補正方法】変更
【補正の内容】
【００１０】
また、本発明の印刷制御装置では、前記入力手段は、操作パネル、カードリーダまたはバーコードリーダから前記識別情報を入力することを特徴とする。
【手続補正８】
【補正対象書類名】明細書
【補正対象項目名】００１１
【補正方法】変更
【補正の内容】
【００１１】
また、本発明の印刷制御装置は、外部装置から受信する印刷ジョブに基づいて印刷を制御する印刷制御装置であって、外部装置から受信する印刷ジョブを格納する格納手段と、カードリーダによって読み取られる識別情報を入力する入力手段と、前記入力手段により入力された識別情報に対応する印刷ジョブに基づく印刷を当該印刷ジョブとは異なる他の印刷ジョブに基づく印刷より優先して実行するように、格納手段に格納されている印刷ジョブの印刷順序を変更する制御手段とを有することを特徴とする。
【手続補正９】
【補正対象書類名】明細書
【補正対象項目名】００１２
【補正方法】変更
【補正の内容】
【００１２】
また、本発明の印刷制御装置は、前記カードリーダからの割り込み印刷の指定があるかどうかを判定する判定手段を有し、前記制御手段は、前記カードリーダからの割り込み印刷の指定があると前記判定手段により判定されるのに従って、他の印刷ジョブに基づく印刷を停止して前記入力手段によって入力された識別情報に対応する印刷ジョブに基づく印刷を実行するように、印刷ジョブの印刷順序を変更することを特徴とする。
【手続補正１０】
【補正対象書類名】明細書
【補正対象項目名】００１３
【補正方法】変更
【補正の内容】
【００１３】
また、本発明の印刷制御装置は、外部装置から受信する印刷ジョブに基づいて印刷を制御する印刷制御装置であって、外部装置から受信する印刷ジョブを格納する格納手段と、バーコードリーダによって読み取られる識別情報を入力する入力手段と、前記入力手段により入力された識別情報に対応する印刷ジョブに基づく印刷を当該印刷ジョブとは異なる他の印刷ジョブに基づく印刷より優先して実行するように、格納手段に格納されている印刷ジョブの印刷順序を変更する制御手段とを有することを特徴とする。
【手続補正１１】
【補正対象書類名】明細書
【補正対象項目名】００１４
【補正方法】変更
【補正の内容】
【００１４】
また、本発明の印刷制御装置は、前記バーコードリーダからの割り込み印刷の指定があるかどうかを判定する判定手段を有し、前記制御手段は、前記バーコードリーダからの割り込み印刷の指定があると前記判定手段により判定されるのに従って、他の印刷ジョブに基づく印刷を停止して前記入力手段によって入力された識別情報に対応する印刷ジョブに基づく印刷を実行するように、印刷ジョブの印刷順序を変更することを特徴とする。
【手続補正１２】
【補正対象書類名】明細書
【補正対象項目名】００１５
【補正方法】変更
【補正の内容】
【００１５】
また、本発明の印刷制御装置は、前記識別情報に対応する印刷ジョブに基づく印刷の排紙先と前記他の印刷ジョブに基づく印刷の排紙先とを変更する排紙制御手段を有することを特徴とする。
【手続補正１３】
【補正対象書類名】明細書
【補正対象項目名】００１６
【補正方法】変更
【補正の内容】
【００１６】
また、本発明の印刷制御装置は、複数の排紙ビンを備えるソータを有し、前記排紙制御手段は、前記識別情報に対応する印刷ジョブに基づく印刷の排紙ビンと前記他の印刷ジョブに基づく印刷の排紙ビンとを変更することを特徴とする。
【手続補正１４】
【補正対象書類名】明細書
【補正対象項目名】００１７
【補正方法】変更
【補正の内容】
【００１７】
また、本発明の印刷制御装置では、前記制御手段は、前記他の印刷ジョブに基づく印刷を停止して前記入力手段によって入力された識別情報に対応する印刷ジョブに基づく印刷を実行するように、印刷ジョブの印刷順序を変更することを特徴とする。
【手続補正１５】
【補正対象書類名】明細書
【補正対象項目名】００１８
【補正方法】変更
【補正の内容】
【００１８】
また、本発明の印刷制御装置は、外部装置から受信する印刷ジョブに基づく印刷を制御する印刷制御装置であって、外部装置から受信する印刷ジョブを格納する格納手段と、印刷ジョブの印刷順序を変更するコマンドを外部装置から受信する第１受信手段と、排紙先を指定する排紙情報を外部装置から受信する第２受信手段と、前記第１受信手段により受信されたコマンドに従って、第１の印刷ジョブに基づく印刷を中断して前記格納手段に格納されている第２の印刷ジョブに基づく印刷を実行し、かつ前記第２の印刷ジョブの排紙先を前記排紙情報により指定された排紙先にする制御手段とを有することを特徴とする。
【手続補正１６】
【補正対象書類名】明細書
【補正対象項目名】００１９
【補正方法】変更
【補正の内容】
【００１９】
また、本発明の印刷制御装置は、前記格納手段に格納されている印刷ジョブを示すリスト情報を外部装置に送信する送信手段と、前記リスト情報によって示された印刷ジョブのうち、利用者により選択された印刷ジョブを識別する識別情報を受信する第３受信手段とを有し、前記第２印刷ジョブは、前記識別情報によって識別される印刷ジョブであることを特徴とする。
【手続補正１７】
【補正対象書類名】明細書
【補正対象項目名】００２０
【補正方法】変更
【補正の内容】
【００２０】
また、本発明の印刷制御装置は、前記外部装置とはネットワークを介して接続されていることを特徴とする。
【手続補正１８】
【補正対象書類名】明細書
【補正対象項目名】００２１
【補正方法】変更
【補正の内容】
【００２１】
また、本発明の印刷制御装置では、前記排紙先には、複数の排紙ビンを備えるソータが含まれることを特徴とする。
【手続補正１９】
【補正対象書類名】明細書
【補正対象項目名】００２２
【補正方法】変更
【補正の内容】
【００２２】
また、本発明の印刷制御方法は、外部装置から受信する印刷ジョブに基づく印刷を制御する印刷制御装置における印刷制御方法であって、外部装置から受信する印刷ジョブを記憶装置に格納する格納工程と、利用者を識別する識別情報を入力する入力工程と、前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする。また、本発明の記録媒体は、外部装置から受信する印刷ジョブに基づく印刷を制御する印刷制御装置を制御する印刷制御プログラムが格納されたコンピュータにより読み取り可能な記録媒体であって、前記印刷制御プログラムは、外部装置から受信する印刷ジョブを記憶装置に格納する格納工程と、利用者を識別する識別情報を入力する入力工程と、前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする。
【手続補正２０】
【補正対象書類名】明細書
【補正対象項目名】００２３
【補正方法】変更
【補正の内容】
【００２３】
また、本発明の印刷制御方法は、外部装置から受信する印刷ジョブに基づく印刷を制御する印刷制御装置における印刷制御方法であって、外部装置から受信する印刷ジョブを記憶装置に格納する格納工程と、カードリーダによって読み取られる識別情報を入力する入力工程と、前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする。また、本発明の記録媒体は、外部装置から受信する印刷ジョブに基づく印刷を制御する印刷制御装置を制御する印刷制御プログラムが格納されたコンピュータにより読み取り可能な記録媒体であって、前記印刷制御プログラムは、外部装置から受信する印刷ジョブを記憶装置に格納する格納工程と、カードリーダによって読み取られる識別情報を入力する入力工程と、前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする。
【手続補正２１】
【補正対象書類名】明細書
【補正対象項目名】００２４
【補正方法】変更
【補正の内容】
【００２４】
また、本発明の印刷制御方法は、外部装置から受信する印刷ジョブに基づく印刷を制御する印刷制御装置における印刷制御方法であって、外部装置から受信する印刷ジョブを記憶装置に格納する格納工程と、バーコードリーダによって読み取られる識別情報を入力する入力工程と、前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする。また、本発明の記録媒体は、外部装置から受信する印刷ジョブに基づく印刷を制御する印刷制御装置を制御する印刷制御プログラムが格納されたコンピュータにより読み取り可能な記録媒体であって、前記印刷制御プログラムは、外部装置から受信する印刷ジョブを記憶装置に格納する格納工程と、バーコードリーダによって読み取られる識別情報を入力する入力工程と、前記入力工程で入力された識別情報に対応する印刷ジョブに基づく印刷を当該印刷ジョブとは異なる他の印刷ジョブに基づく印刷より優先して実行するように、前記記憶装置に格納されている印刷ジョブの印刷順序を変更する変更工程とを有することを特徴とする。
【手続補正２２】
【補正対象書類名】明細書
【補正対象項目名】００２５
【補正方法】変更
【補正の内容】
【００２５】
また、本発明の印刷制御方法は、外部装置から受信する印刷ジョブに基づく印刷を制御する印刷制御装置における印刷制御方法であって、外部装置から受信する印刷ジョブを記憶装置に格納する格納工程と、印刷ジョブの印刷順序を変更するコマンドを外部装置から受信する第１受信ステップと、排紙先を指定する排紙情報を外部装置から受信する第２受信ステップと、前記コマンドに従って、第１の印刷ジョブに基づく印刷を中断して前記記憶装置に格納されている第２の印刷ジョブに基づく印刷を実行し、かつ前記第２の印刷ジョブの排紙先を前記排紙情報により指定された排紙先にする制御ステップとを有することを特徴とする。また、本発明の記録媒体は、外部装置から受信する印刷ジョブに基づく印刷を制御する印刷制御プログラムが格納されたコンピュータにより読み取り可能な記録媒体であって、前記印刷制御プログラムは、外部装置から受信する印刷ジョブを記憶装置に格納する格納工程と、印刷ジョブの印刷順序を変更するコマンドを外部装置から受信する第１受信ステップと、排紙先を指定する排紙情報を外部装置から受信する第２受信ステップと、前記コマンドに応じて、第１の印刷ジョブに基づく印刷を中断して前記記憶装置に格納されている第２の印刷ジョブに基づく印刷を実行し、かつ前記第２の印刷ジョブの排紙先を前記排紙情報により指定された排紙先にする制御ステップとを有することを特徴とする。
【手続補正２３】
【補正対象書類名】明細書
【補正対象項目名】００４１
【補正方法】変更
【補正の内容】
【００４１】
２５２はプリンタＣＰＵ（ＣＰＵ）である。ＣＰＵ２５２は、ＲＯＭ２５４に記憶された制御プログラムに基づいて、システムバス２６０に接続される各デバイスを総括的に制御する。また、ＣＰＵ２５２は、印刷部インタフェース２５６を介して接続される印刷部（プリンタエンジン）２７０に画像情報（ビデオデータ）を出力する。
【手続補正２４】
【補正対象書類名】明細書
【補正対象項目名】００５０
【補正方法】変更
【補正の内容】
【００５０】
プリンタ２０２は、プリンタコントローラ２５０と印刷部２７０から構成されている。また、プリンタコントローラ２５０は、入力部２５１、ジョブ制御部３０６、ジョブ格納メモリ２５７、解析部３０７、展開部３０８、フレームメモリ３０９、印刷部Ｉ／Ｆ２５６で構成されている。また、ジョブ格納メモリ２５７は、例えばハードディスク又はＲＡＭ等で構成されている。
【手続補正２５】
【補正対象書類名】明細書
【補正対象項目名】００７６
【補正方法】変更
【補正の内容】
【００７６】
ユーザが、図９の印刷ジョブのリストから割り込み印刷させたいものを選択して、「割り込み（Ｒ）」ボタンを押すと、図１０のような画面が表示される。図１０の画面では、印刷ジョブの割り込み処理を実行する際の排紙方法及び排紙部を変更することができる。図７のプリンタの場合、排紙部には、フェースアップビン４０１０、フェースダウントレイ４０２０、ＢＩＮ１〜ＢＩＮ７が指定可能である。また、排紙方法には、フェースアップ又はフェースダウンが指定可能である。
【手続補正２６】
【補正対象書類名】明細書
【補正対象項目名】００９２
【補正方法】変更
【補正の内容】
【００９２】
ソータ出力中に割り込み印刷が指定された場合、そのままソータに出力すると、ソーティング中に余計な出力が行なわれることになってしまう。そこで、フェースアップビン４０１０とフェースダウントレイ４０２０がエスケープビンとなる。割り込んだ印刷印刷ジョブの用紙がフェースダウン出力可能な用紙であればフェースダウントレイ４０２０に、フェースダウン出力できない用紙であればフェースアップビン４０１０に、用紙を排紙する。こうすることにより、割り込んだ印刷ジョブの印刷物が先行する印刷ジョブの印刷物に混載してしまう事態を防ぐことが可能になる。
【手続補正２７】
【補正対象書類名】明細書
【補正対象項目名】０１０４
【補正方法】変更
【補正の内容】
【０１０４】
【発明の効果】
以上説明したように、本発明によれば、外部装置から受信した印刷ジョブに基づく印刷を制御する際に、利用者を識別する識別情報に対応する印刷ジョブに基づく印刷を当該印刷ジョブとは異なる他の印刷ジョブに基づく印刷より優先して実行するように、印刷ジョブの印刷順序を変更するので、利用者は、複数の印刷ジョブの印刷順序を簡単な操作指示で自在に変更することができ、印刷制御装置は、複数の利用者からの印刷要求に対して、迅速かつ柔軟に対応できる。
【手続補正２８】
【補正対象書類名】明細書
【補正対象項目名】０１０５
【補正方法】変更
【補正の内容】
【０１０５】
以上説明したように、本発明によれば、外部装置から受信した印刷ジョブに基づく印刷を制御する際に、カードリーダまたはバーコードリーダによって入力された識別情報に対応する印刷ジョブに基づく印刷を当該印刷ジョブとは異なる他の印刷ジョブに基づく印刷より優先して実行するように、印刷ジョブの印刷順序を変更するので、利用者は、複数の印刷ジョブの印刷順序を簡単な操作指示で自在に変更することができ、印刷制御装置は、複数の利用者からの印刷要求に対して、迅速かつ柔軟に対応できる。
【手続補正２９】
【補正対象書類名】明細書
【補正対象項目名】０１０６
【補正方法】変更
【補正の内容】
【０１０６】
また、利用者は、外部装置から割り込み印刷の指定を行なうときに、割り込み指定された印刷ジョブの排紙先を変更することができるので、割り込み指定された印刷ジョブの印刷物が他の印刷ジョブの印刷物と混載することが防止される。
【手続補正３０】
【補正対象書類名】明細書
【補正対象項目名】０１０７
【補正方法】変更
【補正の内容】
【０１０７】
また、利用者が、自分の印刷物を取りに印刷制御装置に行ったときに、操作パネル、カードリーダまたはバーコードリーダを使用して自分の識別情報を印刷制御装置に通知することで割り込み印刷を行なうことができるので、割り込み印刷を行なうために外部装置に戻って操作を行なう必要がなくなる。